(57)【特許請求の範囲】
【請求項１】
無線通信のための方法であって、
初期送信ランクにしたがって第１のコードワードと第２のコードワードとを送信することと、
前記第１のコードワードと前記第２のコードワードとのうち、再送信されるべき少なくとも１つのコードワードを示すダウンリンク送信を受信することと、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築することと、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信することと、を備え、
ＤＭ−ＲＳ構築ルールが前記再送信ランクに少なくとも部分的に依存する、方法。
【請求項２】
前記初期送信ランクと前記再送信ランクとは異なる、請求項１に記載の方法。
【請求項３】
前記１または複数のＰＨＩＣＨのうちの少なくとも１つは、前記再送信されるべき少なくとも１つのコードワードを示す否定的アクノレッジメント（ＮＡＣＫ）を含む、請求項１に記載の方法。
【請求項４】
前記構築することは、前記ＤＭ−ＲＳを、考慮される物理ダウンリンク制御チャネル（ＰＤＣＣＨ）許可における情報に少なくとも部分的に基づいて構築することを含む、請求項３に記載の方法。
【請求項５】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項４に記載の方法。
【請求項６】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項４に記載の方法。
【請求項７】
前記ダウンリンク送信を受信することは、前記再送信されるべき少なくとも１つのコードワードを示す物理ダウンリンク制御チャネル（ＰＤＣＣＨ）許可を受信することを含む、請求項１に記載の方法。
【請求項８】
前記構築することは、前記ＤＭ−ＲＳを、前記ＰＤＣＣＨ許可における情報に少なくとも部分的に基づいて構築することを含む、請求項７に記載の方法。
【請求項９】
前記１または複数のＰＨＩＣＨのうちの少なくとも１つは、前記再送信されるべき少なくとも１つのコードワードのためのアクノレッジメント（ＡＣＫ）を示す、請求項８に記載の方法。
【請求項１０】
前記ＰＤＣＣＨ許可における情報は、サイクリック・シフトおよび直交カバー・コードのうちの１つを含む、請求項８に記載の方法。
【請求項１１】
前記構築することは、前記ＤＭ−ＲＳを、前記再送信ランクに関連付けられたルールにしたがって構築することを含む、請求項８に記載の方法。
【請求項１２】
無線通信のための装置であって、
初期送信ランクにしたがって第１のコードワードと第２のコードワードとを送信する手段と、
前記第１のコードワードと前記第２のコードワードとのうち、再送信されるべき少なくとも１つのコードワードを示すダウンリンク送信を受信する手段と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築する手段と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信する手段と、を備え、
ＤＭ−ＲＳ構築ルールが前記再送信ランクに少なくとも部分的に依存する、装置。
【請求項１３】
前記初期送信ランクと前記再送信ランクとは異なる、請求項１２に記載の装置。
【請求項１４】
前記１または複数のＰＨＩＣＨのうちの少なくとも１つは、前記再送信されるべき少なくとも１つのコードワードを示す否定的アクノレッジメント（ＮＡＣＫ）を含む、請求項１２に記載の装置。
【請求項１５】
前記構築する手段は、前記ＤＭ−ＲＳを、考慮される物理ダウンリンク制御チャネル（ＰＤＣＣＨ）許可における情報に少なくとも部分的に基づいて構築する手段を含む、請求項１４に記載の装置。
【請求項１６】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項１５に記載の装置。
【請求項１７】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項１５に記載の装置。
【請求項１８】
前記ダウンリンク送信を受信する手段は、前記再送信されるべき少なくとも１つのコードワードを示す物理ダウンリンク制御チャネル（ＰＤＣＣＨ）許可を受信する手段を含む、請求項１２に記載の装置。
【請求項１９】
前記構築する手段は、前記ＤＭ−ＲＳを、前記ＰＤＣＣＨ許可における情報に少なくとも部分的に基づいて構築する手段を含む、請求項１８に記載の装置。
【請求項２０】
前記１または複数のＰＨＩＣＨのうちの少なくとも１つは、前記再送信されるべき少なくとも１つのコードワードのためのアクノレッジメント（ＡＣＫ）を示す、請求項１９に記載の装置。
【請求項２１】
前記ＰＤＣＣＨ許可における情報は、サイクリック・シフトおよび直交カバー・コードのうちの１つを含む、請求項１９に記載の装置。
【請求項２２】
前記構築する手段は、前記ＤＭ−ＲＳを、前記再送信ランクに関連付けられたルールにしたがって構築する手段を含む、請求項１９に記載の装置。
【請求項２３】
無線通信のための装置であって、
初期送信ランクにしたがって第１のコードワードと第２のコードワードとを送信し、
前記第１のコードワードと前記第２のコードワードとのうち、再送信されるべき少なくとも１つのコードワードを示すダウンリンク送信を受信し、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築し、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信するように構成された少なくとも１つのプロセッサと、
前記少なくとも１つのプロセッサに接続されたメモリと、を備え、
ＤＭ−ＲＳ構築ルールが前記再送信ランクに少なくとも部分的に依存する、装置。
【請求項２４】
前記初期送信ランクと前記再送信ランクとは異なる、請求項２３に記載の装置。
【請求項２５】
前記１または複数のＰＨＩＣＨのうちの少なくとも１つは、前記再送信されるべき少なくとも１つのコードワードを示す否定的アクノレッジメント（ＮＡＣＫ）を含む、請求項２３に記載の装置。
【請求項２６】
前記ＤＭ−ＲＳは、考慮される物理ダウンリンク制御チャネル（ＰＤＣＣＨ）許可における情報に少なくとも部分的に基づいて構築される、請求項２５に記載の装置。
【請求項２７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項２６に記載の装置。
【請求項２８】
前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、請求項２６に記載の装置。
【請求項２９】
初期送信ランクにしたがって第１のコードワードと第２のコードワードとを送信するための命令群と、
前記第１のコードワードと前記第２のコードワードとのうち、再送信されるべき少なくとも１つのコードワードを示すダウンリンク送信を受信するための命令群と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築するための命令群と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信するための命令群と、を記憶しており、
ＤＭ−ＲＳ構築ルールが前記再送信ランクに少なくとも部分的に依存する、コンピュータ読取可能な記憶媒体。
【請求項３０】
前記１または複数のＰＨＩＣＨのうちの少なくとも１つは、前記再送信されるべき少なくとも１つのコードワードを示す否定的アクノレッジメント（ＮＡＣＫ）を含み、前記ＤＭ−ＲＳは、考慮される物理ダウンリンク制御チャネル（ＰＤＣＣＨ）許可における情報に少なくとも部分的に基づいて構築される、請求項２９に記載のコンピュータ読取可能な記憶媒体。
【請求項３１】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づいて構築され、
前記考慮されるＰＤＣＣＨ許可における情報は、サイクリック・シフトおよび直交カバー・コードのうちの１つを含む、請求項３０に記載のコンピュータ読取可能な記憶媒体。
【請求項３２】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づいて構築され、
前記１または複数のＰＨＩＣＨのうちの少なくとも１つは、前記再送信されるべき少なくとも１つのコードワードのためのアクノレッジメント（ＡＣＫ）を示す、請求項２９に記載のコンピュータ読取可能な記憶媒体。
【請求項３３】
無線通信のための方法であって、
初期送信ランクにしたがって第１のコードワードと第２のコードワードとを受信することと、
前記第１のコードワードと前記第２のコードワードとのうち、再送信されるべき少なくとも１つのコードワードを示すダウンリンク送信を送信することと、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信することと、ここで、前記ＤＭ−ＲＳは、前記ダウンリンク送信における情報に少なくとも部分的に基づく、を備え、
ＤＭ−ＲＳ構築ルールが前記再送信ランクに少なくとも部分的に依存する、方法。
【請求項３４】
前記初期送信ランクと前記再送信ランクとは異なる、請求項３３に記載の方法。
【請求項３５】
前記１または複数のＰＨＩＣＨのうちの少なくとも１つは、前記再送信されるべき少なくとも１つのコードワードを示す否定的アクノレッジメント（ＮＡＣＫ）を含む、請求項３３に記載の方法。
【請求項３６】
前記ＤＭ−ＲＳは、考慮される物理ダウンリンク制御チャネル（ＰＤＣＣＨ）許可における情報に少なくとも部分的に基づく、請求項３５に記載の方法。
【請求項３７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項３６に記載の方法。
【請求項３８】
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、請求項３６に記載の方法。
【請求項３９】
前記ダウンリンク送信を送信することは、前記再送信されるべき少なくとも１つのコードワードを示す物理ダウンリンク制御チャネル（ＰＤＣＣＨ）許可を送信することを含む、請求項３３に記載の方法。
【請求項４０】
前記ＤＭ−ＲＳは、前記ＰＤＣＣＨ許可における情報に少なくとも部分的に基づく、請求項３９に記載の方法。
【請求項４１】
前記１または複数のＰＨＩＣＨのうちの少なくとも１つは、ＵＥによって前記再送信されるべき少なくとも１つのコードワードのためのアクノレッジメント（ＡＣＫ）を示す、請求項４０に記載の方法。
【請求項４２】
前記ＰＤＣＣＨ許可における情報は、前記ＤＭ−ＲＳのためのサイクリック・シフトと直交カバー・コードとのうちの１つを含む、請求項４０に記載の方法。
【請求項４３】
前記ＤＭ−ＲＳは、前記再送信ランクに関連付けられたルールに少なくとも部分的に基づく、請求項４０に記載の方法。
【請求項４４】
無線通信のための装置であって、
初期送信ランクにしたがって第１のコードワードと第２のコードワードとを受信する手段と、
前記第１のコードワードと前記第２のコードワードとのうち、再送信されるべき少なくとも１つのコードワードを示すダウンリンク送信を送信する手段と、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信する手段と、ここで、前記ＤＭ−ＲＳは、前記ダウンリンク送信における情報に少なくとも部分的に基づく、を備え、
ＤＭ−ＲＳ構築ルールが前記再送信ランクに少なくとも部分的に依存する、装置。
【請求項４５】
前記初期送信ランクと前記再送信ランクとは異なる、請求項４４に記載の装置。
【請求項４６】
前記１または複数のＰＨＩＣＨのうちの少なくとも１つは、前記再送信されるべき少なくとも１つのコードワードを示す否定的アクノレッジメント（ＮＡＣＫ）を含む、請求項４４に記載の装置。
【請求項４７】
前記ＤＭ−ＲＳは、考慮される物理ダウンリンク制御チャネル（ＰＤＣＣＨ）許可における情報に少なくとも部分的に基づく、請求項４６に記載の装置。
【請求項４８】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、請求項４７に記載の装置。
【請求項４９】
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、請求項４７に記載の装置。
【請求項５０】
前記ダウンリンク送信を送信する手段は、前記再送信されるべき少なくとも１つのコードワードを示す物理ダウンリンク制御チャネル（ＰＤＣＣＨ）許可を送信する手段を含む、請求項４４に記載の装置。
【請求項５１】
前記ＤＭ−ＲＳは、前記ＰＤＣＣＨ許可における情報に少なくとも部分的に基づく、請求項５０に記載の装置。
【請求項５２】
前記１または複数のＰＨＩＣＨのうちの少なくとも１つは、前記再送信されるべき少なくとも１つのコードワードのためのアクノレッジメント（ＡＣＫ）を示す、請求項５１に記載の装置。
【請求項５３】
前記ＰＤＣＣＨ許可における情報は、サイクリック・シフトおよび直交カバー・コードのうちの１つを含む、請求項５１に記載の装置。
【請求項５４】
前記ＤＭ−ＲＳは、前記再送信ランクに関連付けられたルールに少なくとも部分的に基づく、請求項５１に記載の装置。
【請求項５５】
無線通信のための装置であって、
初期送信ランクにしたがって第１のコードワードと第２のコードワードとを受信し、
前記第１のコードワードと前記第２のコードワードとのうち、再送信されるべき少なくとも１つのコードワードを示すダウンリンク送信を送信し、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信し、ここで、前記ＤＭ−ＲＳは、前記ダウンリンク送信における情報に少なくとも部分的に基づく、ように構成された少なくとも１つのプロセッサと、
前記少なくとも１つのプロセッサに接続されたメモリと、を備え、
ＤＭ−ＲＳ構築ルールが前記再送信ランクに少なくとも部分的に依存する、装置。
【請求項５６】
前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、請求項５５に記載の装置。
【請求項５７】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトと直交カバー・コードとのうちの１つを含む、請求項５６に記載の装置。
【請求項５８】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、請求項５５に記載の装置。
【請求項５９】
初期送信ランクにしたがって、少なくとも、第１のコードワードと第２のコードワードとを受信するための命令群と、
前記第１のコードワードと前記第２のコードワードとのうち、再送信されるべき少なくとも１つのコードワードを示すダウンリンク送信を送信するための命令群と、ここで、前記ダウンリンク送信は、１または複数の物理ハイブリッド自動再送信要求インジケータ・チャネル（ＰＨＩＣＨ）を備える、
再送信ランクにしたがって、復調基準信号（ＤＭ−ＲＳ）とともに再送信された前記少なくとも１つのコードワードを受信するための命令群と、ここで、前記ＤＭ−ＲＳは、前記ダウンリンク送信における情報に少なくとも部分的に基づく、を記憶しており、
ＤＭ−ＲＳ構築ルールが前記再送信ランクに少なくとも部分的に依存する、コンピュータ読取可能な記憶媒体。
【請求項６０】
前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、請求項５９に記載のコンピュータ読取可能な記憶媒体。
【請求項６１】
前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、請求項６０に記載のコンピュータ読取可能な記憶媒体。
【請求項６２】
前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、請求項５９に記載のコンピュータ読取可能な記憶媒体。
【発明の詳細な説明】
【技術分野】
【０００１】
本開示のある態様は、一般に、無線通信に関し、さらに詳しくは、無線通信における再送信のための復調基準信号（ＤＭ−ＲＳ）を構築することに関する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００３】
一般に、無線多元接続通信システムは、複数の無線端末のための通信を同時にサポートすることができる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システムによって確立されうる。
【０００４】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルとも称されるＮＳ個の独立したチャネルへ分解されうる。ＮＳ個の独立チャネルのおのおのは、ディメンションに相当する。複数の送信アンテナおよび受信アンテナによって、より大きなディメンションが形成される場合、ＭＩＭＯシステムは、（例えば、より高いスループット、および／または、より高い信頼性のような）向上されたパフォーマンスを与える。
【発明の概要】
【０００５】
本開示のある態様は、無線通信のための方法を提供する。この方法は一般に、初期送信ランクにしたがって第１のコードワードと第２のコードワードとを送信することと、第１のコードワードと第２のコードワードとのうち、再送信されるべき少なくとも１つのコードワードを示すダウンリンク送信を受信することと、ここで、ダウンリンク送信は、１または複数の物理ハイブリッド自動再送信要求インジケータ・チャネルを含む、再送信されるべき少なくとも１つのコードワードとともに送信されるべき復調基準信号（ＤＭ−ＲＳ）を構築することと、ここで、ＤＭ−ＲＳは、ダウンリンク送信における情報に少なくとも部分的に基づいて構築される、再送信ランクにしたがって、ＤＭ−ＲＳとともに、少なくとも１つのコードワードを再送信することと、を含む。
【０００６】
本開示のある態様は、無線通信のための装置を提供する。この装置は一般に、初期送信ランクにしたがって第１のコードワードと第２のコードワードとを送信する手段と、第１のコードワードと第２のコードワードとのうち、再送信されるべき少なくとも１つのコードワードを示すダウンリンク送信を受信する手段と、ここで、ダウンリンク送信は、１または複数の物理ハイブリッド自動再送信要求インジケータ・チャネルを含む、再送信されるべき少なくとも１つのコードワードとともに送信されるべき復調基準信号（ＤＭ−ＲＳ）を構築する手段と、ここで、ＤＭ−ＲＳは、ダウンリンク送信における情報に少なくとも部分的に基づいて構築される、再送信ランクにしたがって、ＤＭ−ＲＳとともに、少なくとも１つのコードワードを再送信する手段と、を含む。
【０００７】
本開示のある態様は、無線通信のための装置を提供する。この装置は一般に、初期送信ランクにしたがって第１のコードワードと第２のコードワードとを送信し、第１のコードワードと第２のコードワードとのうち、再送信されるべき少なくとも１つのコードワードを示すダウンリンク送信を受信し、ここで、ダウンリンク送信は、１または複数の物理ハイブリッド自動再送信要求インジケータ・チャネルを含む、再送信されるべき少なくとも１つのコードワードとともに送信されるべき復調基準信号（ＤＭ−ＲＳ）を構築し、ここで、ＤＭ−ＲＳは、ダウンリンク送信における情報に少なくとも部分的に基づいて構築される、再送信ランクにしたがって、ＤＭ−ＲＳとともに、少なくとも１つのコードワードを再送信する、ように構成された少なくとも１つのプロセッサを含む。さらに、この装置は、少なくとも１つのプロセッサに接続されたメモリを含む。
【０００８】
ある態様は、無線通信のためのコンピュータ・プログラム製品を提供する。このコンピュータ・プログラム製品は、格納された命令群を有するコンピュータ読取可能媒体を含む。これら命令群は、１または複数のプロセッサによって実行されることが可能である。これら命令群は一般に、初期送信ランクにしたがって第１のコードワードと第２のコードワードとを送信するための命令群と、第１のコードワードと第２のコードワードとのうち、再送信されるべき少なくとも１つのコードワードを示すダウンリンク送信を受信するための命令群と、ここで、ダウンリンク送信は、１または複数の物理ハイブリッド自動再送信要求インジケータ・チャネルを含む、再送信されるべき少なくとも１つのコードワードとともに送信されるべき復調基準信号（ＤＭ−ＲＳ）を構築するための命令群と、ここで、ＤＭ−ＲＳは、ダウンリンク送信における情報に少なくとも部分的に基づいて構築される、再送信ランクにしたがって、ＤＭ−ＲＳとともに、少なくとも１つのコードワードを再送信するための命令群と、を含む。
【０００９】
本開示のある態様は、無線通信のための方法を提供する。この方法は一般に、初期送信ランクにしたがって第１のコードワードと第２のコードワードとを受信することと、第１のコードワードと第２のコードワードとのうち、再送信されるべき少なくとも１つのコードワードを示すダウンリンク送信を送信することと、ここで、ダウンリンク送信は、１または複数の物理ハイブリッド自動再送信要求インジケータ・チャネルを含む、再送信ランクにしたがって、復調基準信号（ＤＭ−ＲＳ）とともに再送信された少なくとも１つのコードワードを受信することと、ここで、ＤＭ−ＲＳは、ダウンリンク送信における情報に少なくとも部分的に基づく、を含む。
【００１０】
本開示のある態様は、無線通信のための装置を提供する。この装置は一般に、初期送信ランクにしたがって第１のコードワードと第２のコードワードとを受信する手段と、第１のコードワードと第２のコードワードとのうち、再送信されるべき少なくとも１つのコードワードを示すダウンリンク送信を送信する手段と、ここで、ダウンリンク送信は、１または複数の物理ハイブリッド自動再送信要求インジケータ・チャネルを含む、再送信ランクにしたがって、復調基準信号（ＤＭ−ＲＳ）とともに再送信された少なくとも１つのコードワードを受信する手段と、ここで、ＤＭ−ＲＳは、ダウンリンク送信における情報に少なくとも部分的に基づく、を含む。
【００１１】
本開示のある態様は、無線通信のための装置を提供する。この装置は一般に、初期送信ランクにしたがって第１のコードワードと第２のコードワードとを受信し、第１のコードワードと第２のコードワードとのうち、再送信されるべき少なくとも１つのコードワードを示すダウンリンク送信を送信し、ここで、ダウンリンク送信は、１または複数の物理ハイブリッド自動再送信要求インジケータ・チャネルを含む、再送信ランクにしたがって、復調基準信号（ＤＭ−ＲＳ）とともに再送信された少なくとも１つのコードワードを受信し、ここで、ＤＭ−ＲＳは、ダウンリンク送信における情報に少なくとも部分的に基づく、ように構成された少なくとも１つのプロセッサを含む。さらに、この装置は、少なくとも１つのプロセッサに接続されたメモリを含む。
【００１２】
ある態様は、無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は一般に、初期送信ランクにしたがって第１のコードワードと第２のコードワードとを受信するための命令群と、第１のコードワードと第２のコードワードとのうち、再送信されるべき少なくとも１つのコードワードを示すダウンリンク送信を送信するための命令群と、ここで、ダウンリンク送信は、１または複数の物理ハイブリッド自動再送信要求インジケータ・チャネルを含む、再送信ランクにしたがって、復調基準信号（ＤＭ−ＲＳ）とともに再送信された少なくとも１つのコードワードを受信するための命令群と、ここで、ＤＭ−ＲＳは、ダウンリンク送信における情報に少なくとも部分的に基づく、を含む。
【図面の簡単な説明】
【００１３】
【図１】図１は、本開示のある態様にしたがう無線通信ネットワークの例を概念的に例示するブロック図である。
【図２】図２は、本開示のある態様にしたがう無線通信ネットワークにおいて、ユーザ機器（ＵＥ）と通信している基地局の例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがう、ダウンリンクのための２つの典型的なサブフレーム・フォーマットを例示する。
【図５】図５は、本開示のある態様にしたがう、アップリンク（ＵＬ）シングル・ユーザＭＩＭＯ（ＳＵ−ＭＩＭＯ）の再送信のための復調基準信号（ＤＭ−ＲＳ）を構築することが可能な、アクセス・ポイントおよびアクセス端末を備えたシステムの例を例示する。
【図６】図６は、本開示のある態様にしたがう、ＵＬ  ＳＵ−ＭＩＭＯの再送信のためのＤＭ−ＲＳを構築するための動作の例を例示する。
【図７】図７は、本開示のある態様にしたがう、ＵＬ  ＳＵ−ＭＩＭＯの再送信をトリガするための動作の例を例示する。
【図８Ａ】図８Ａは、本開示のある態様にしたがう、ＵＬ  ＳＵ−ＭＩＭＯの適応的再送信の実施形態を例示する。
【図８Ｂ】図８Ｂは、本開示のある態様にしたがう、ＵＬ  ＳＵ−ＭＩＭＯの非適応的再送信の実施形態を例示する。
【発明を実施するための形態】
【００１４】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、３ＧＰＰからの文書に記載されている。ｃｄｍａ２０００およびＵＭＢは、「第３世代パートナシップ計画２」（３ＧＰＰ２）と命名された組織からの文書に記載されている。本明細書で記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１５】
図１は、無線通信ネットワーク１００を示す。これは、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１６】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００１７】
無線ネットワーク１００はさらに、リレー局をも含みうる。リレー局は、データの伝送を上流局（例えば、ｅＮＢまたはＵＥ）から受信し、データの伝送を下流局（例えば、ＵＥまたはｅＮＢ）へ送信するエンティティである。リレー局はまた、他のＵＥのための送信を中継するＵＥでもありうる。図１に示される例において、リレー局１１０ｄは、ｅＮＢ１１０ａとＵＥ１２０ｄとの間の通信を容易にするために、マクロｅＮＢ１１０ａおよびＵＥ１２０ｄと通信しうる。リレー局はまた、リレーｅＮＢ、リレー基地局、リレー等とも称されうる。
【００１８】
無線ネットワーク１００はまた、例えば、マクロｅＮＢ、ピコｅＮＢ、フェムトｅＮＢ、リレーｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、およびリレーｅＮＢは、低い送信電力レベル（例えば、０．１乃至２ワット）を有しうる。
【００１９】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００２０】
無線ネットワーク１００の全体にわたって、多くのＵＥ１２０が分布しうる。そして、おのおののＵＥは、固定式または移動式でありうる。ＵＥは、アクセス端末、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック、タブレット等でありうる。
【００２１】
図２は、図１におけるｅＮＢのうちの１つ、およびＵＥのうちの１つでありうる、基地局１１０とＵＥ１２０とのブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２２】
基地局１１０では、送信プロセッサ２２０が、１または複数のＵＥのためのデータを、データ・ソース２１２から受け取り、ＵＥから受信したＣＱＩに基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、ＳＲＰＩ等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はさらに、基準信号および同期信号のための基準シンボルを生成しうる。送信（ＴＸ）ＭＩＭＯプロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００２３】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。
【００２４】
アップリンクでは、ＵＥ１２０において、送信プロセッサ２６４が、データ・ソース２６２からデータを、コントローラ／プロセッサ２８０から制御情報を受信し、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００２５】
コントローラ／プロセッサ２４０，２８０、および／または、その他のプロセッサおよびモジュールは、基地局１１０およびＵＥ１２０それぞれにおける動作を指示しうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００２６】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００２７】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００２８】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーし、実数値または複素数値である１つの変調シンボルを送信するために使用されうる。
【００２９】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００３０】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００３１】
無線ネットワークは、ダウンリンクおよびアップリンクにおけるデータ送信のために、ハイブリッド自動再送信要求（ＨＡＲＱ）をサポートしうる。ＨＡＲＱの場合、パケットが受信機によって正確に復号されるか、または、その他の終了条件に到達するまで、送信機は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００３２】
ＬＴＥ−Ａでは、ＭＩＭＯ送信は、シングル・ユーザからのアップリンク（つまり、ＵＬ  ＳＵ−ＭＩＭＯ）でサポートされうる。いくつかの実施形態の場合、ランク４（すなわち、４つの空間レイヤ）までの送信が、単一のＵＥから可能でありうる。レイヤ・マッピングへのコードワード（ＣＷ）（または、伝送ブロック）は、ＬＴＥ  Ｒｅｌ−８ダウンリンクと同じ原理に従いうる。例えば、ランク−２送信の場合、ＣＷ０は、レイヤ０へマップされ、ＣＷ１は、レイヤ１へマップされうる。ランク−３送信の場合、ＣＷ０はレイヤ０へマップされ、ＣＷ１はレイヤ１およびレイヤ２へマップされうる。ランク−４送信の場合、ＣＷ０はレイヤ０およびレイヤ１へマップされ、ＣＷ１はレイヤ２およびレイヤ３へマップされうる。異なるランクのために異なる復調基準信号（ＤＭ−ＲＳ）構築ルールが存在しうる。ここで、各ランクのＤＭ−ＲＳ多重化パフォーマンスが、最適化されうる。例えば、各レイヤのサイクリック・シフトおよび直交カバー・コード（ＯＣＣ）は、ＰＤＣＣＨスケジューリング許可でシグナルされた情報から導出されうる。本開示の実施形態によれば、再送信は、適応的または非適応的にトリガされうる。いくつかの実施形態の場合、適応的再送信（例えば、送信帯域幅および／またはレートを変更すること）は、ＰＤＣＣＨ許可によってスケジュールされうる。そして、非適応的再送信は、１または複数の物理ハイブリッド自動再送信要求インジケータ・チャネル（ＰＨＩＣＨ）によってトリガされうる。
【００３３】
図５は、本開示のある態様にしたがう、ＵＬ  ＳＵ−ＭＩＭＯの再送信のために１または複数のＤＭ−ＲＳを構築することが可能な、アクセス・ポイント５１０（例えば、ｅＮＢ）およびアクセス端末５２０（例えば、ＵＥ）を備えたシステム５００の例を例示する。例示されるように、アクセス・ポイント５１０は、１または複数のメッセージ（例えば、ＰＤＣＣＨ／ＰＨＩＣＨ）を生成するためのメッセージ生成モジュール５１４を含みうる。メッセージは、送信機モジュール５１２を介してダウンリンク・サブフレームでアクセス端末５２０へ送信されうる。前述したように、再送信は、適応的または非適応的にトリガされうる。後述されるように、適応的再送信は、ＰＤＣＣＨによってスケジュールされ、非適応的再送信は、１または複数のＰＨＩＣＨによってトリガされうる。
【００３４】
アクセス端末５２０は、受信機モジュール５２６を介してメッセージを受信し、このメッセージを、メッセージ処理モジュール５２４によって（例えば、適応的再送信または非適応的再送信に基づいて）処理しうる。再送信されるべき少なくとも１つのコードワードを示すメッセージを受信および処理した後、アクセス端末５２０は、再送信されるべき少なくとも１つのコードワードとともに送信されるべきＤＭ−ＲＳを構築しうる。後述されるように、ＤＭ−ＲＳは、このメッセージにおける情報に少なくとも部分的に基づいて構築される。アクセス端末５２０は、構築されたＤＭ−ＲＳとともに少なくとも１つのコードワードを、送信機モジュール５２２によって、アップリンク・サブフレームで、アクセス・ポイント５１０へ再送信しうる。アクセス・ポイント５１０は、この再送信を、受信機モジュール５１６によって受信しうる。
【００３５】
図６は、本開示のある態様にしたがう、アップリンクＭＩＭＯの再送信のためのＤＭ−ＲＳを構築するための動作６００の例を例示する。この動作６００は、例えば、ＵＥによって実行されうる。６０２において、ＵＥは、先ず、初期送信ランクにしたがって、少なくとも、第１のコードワードと第２のコードワードとを送信しうる。
【００３６】
６０４において、ＵＥは、再送信されるべき第１のコードワードと第２のコードワードのうちの少なくとも１つのコードワードを示すダウンリンク送信を受信しうる。ダウンリンク送信は、１または複数のＰＨＩＣＨを備えうる。前述したように、再送信は、適応的または非適応的にトリガされうる。ここで、適応的再送信は、ＰＤＣＣＨによってスケジュールされ、非適応的再送信は、１または複数のＰＨＩＣＨによってトリガされうる。
【００３７】
６０６において、ＵＥは、再送信されるべき少なくとも１つのコードワードとともに送信されるべきＤＭ−ＲＳを構築しうる。ＤＭ−ＲＳは、ダウンリンク送信における情報に少なくとも部分的に基づいて構築されうる。６０８において、ＵＥは、再送信ランクにしたがって、ＤＭ−ＲＳとともに、少なくとも１つのコードワードを再送信しうる。いくつかの実施形態の場合、初期送信ランクおよび再送信ランクは、異なりうる。
【００３８】
図７は、本開示のある態様にしたがう、ＵＬ  ＳＵ−ＭＩＭＯの再送信をトリガするための動作７００の例を例示する。この動作７００は、例えば、ｅＮＢによって実行されうる。７０２において、ＢＳは、初期送信ランクにしたがって、少なくとも、第１のコードワードと第２のコードワードとを受信しうる。７０４において、ｅＮＢは、第１のコードワードと第２のコードワードとのうち、ＵＥによって再送信されるべき少なくとも１つのコードワードを示すダウンリンク送信を送信しうる。ここで、ダウンリンク送信は、１または複数のＰＨＩＣＨを備えうる。７０６において、ｅＮＢは、再送信ランクにしたがってＵＥによって構築されたＤＭ−ＲＳとともに再送信された、少なくとも１つのコードワードを受信しうる。ここで、ＤＭ−ＲＳは、ダウンリンク送信における情報に少なくとも部分的に基づきうる。
【００３９】
図８Ａは、本開示のある態様にしたがう、ＵＬ  ＳＵ−ＭＩＭＯの適応的再送信の実施形態を例示する。例示されるように、適応的再送信は、８０６ａにおいて送信されたＰＤＣＣＨ許可によってトリガされうる。８０８ａにおける再送信のため、ＤＭ−ＲＳを構築するために、ＰＤＣＣＨ許可でシグナルされた情報が考慮される。例えば、各レイヤのサイクリック・シフトおよび直交カバー・コード（ＯＣＣ）は、８０６ａで送信されたＰＤＣＣＨ許可でシグナルされた情報から導出されうる。再送信のための送信ランクは、初期送信の送信ランクとは異なりうる。いくつかの実施形態の場合、ＤＭ−ＲＳは、再送信ランクに関連付けられたルールにしたがって構築されうる。
【００４０】
いくつかの実施形態の場合、再送信されるべき１または複数のコードワードのために、８０６ａにおいて、ＰＤＣＣＨ許可とともに１または複数のＰＨＩＣＨが送信されうる。ここで、ＰＨＩＣＨ（単数または複数）は、ＵＥへ、否定的アクノレッジメント（ＮＡＣＫ）ではなくアクノレッジメント（ＡＣＫ）を示しうる。その結果、有効なＰＤＣＣＨ許可が復号されなければ、ＵＥは再送信を実行しない場合がありうる。ＰＤＣＣＨ許可とともにＰＨＩＣＨ（単数または複数）を送信することは、ＰＤＣＣＨ許可が失われた場合における潜在的な問題を回避しうる。例えば、（８０６ａにおける）再送信をスケジュールするＰＤＣＣＨ許可と、ＵＥへＮＡＣＫを示したＰＨＩＣＨとが、ＵＥによって検出されない場合、ＵＥは、ＰＨＩＣＨよってトリガされた再送信を実行しうる。これは、他のアップリンク・チャネルに対して潜在的に厳しい干渉をもたらしうる。
【００４１】
図８Ｂは、本開示のある態様にしたがう、ＵＬ  ＳＵ−ＭＩＭＯの非適応的再送信の実施形態を例示する。例示されるように、非適応的再送信は、８０６ｂにおいて送信された１または複数のＰＨＩＣＨによってトリガされうる。ここで、ＰＨＩＣＨのうちの少なくとも１つは、再送信されるべき少なくとも１つのコードワードのためのＮＡＣＫを示しうる（すなわち、ＰＵＳＣＨにおけるコードワードのおのおのについて、１つのＰＨＩＣＨが存在する）。いくつかの実施形態の場合、８０８ｂにおけるランクＲの再送信のためにＤＭ−ＲＳを構築するために、例えば、８０２ｂにおいて送信されたように、前のＰＤＣＣＨ割当においてシグナルされた情報が、コードワード（単数または複数）を再送信するために、全体的に考慮されうる。いくつかの実施形態の場合、考慮されるＰＤＣＣＨ割当は、初期割当でありうるか、または、最近または直近の割当であるか、以前の割当でありうる。ＰＤＣＣＨ割当は、ＵＥのためのアップリンク（ＵＬ）許可を含みうる。再送信における送信ランクが、８０２ｂにおいて送信され、考慮されるＰＤＣＣＨにおいてシグナルされたものとは異なりうる場合であっても、考慮されるＰＤＣＣＨ割当においてシグナルされたランク（Ｑ）は、ＤＭ−ＲＳ構築目的のために利用されうる。ＤＭ−ＲＳは、ランクＱのためのＤＭ−ＲＳ構築ルールにしたがって、対応するＲ個のレイヤのために構築されうる。ここで、Ｑ≧Ｒである。
【００４２】
いくつかの実施形態の場合、８０８ｂにおけるランクＲの再送信のためのＤＭ−ＲＳを構築するために、以前のＰＤＣＣＨ割当でシグナルされた（例えば、８０２ｂにおいて送信された）情報は、コードワード（単数または複数）を再送信するために部分的に考慮されうる。考慮されるＰＤＣＣＨ割当は、初期割当でありうるか、または、最近または直近の割当であるか、以前の割当でありうる。ＰＤＣＣＨ割当は、ＵＥのためのアップリンク（ＵＬ）許可を含みうる。ＤＭ−ＲＳは、ランクＲのためのＤＭ−ＲＳ構築ルールにしたがって、対応するＲ個のレイヤのために構築されうる。ＤＭ−ＲＳ構築のためのその他の必要な情報は、考慮されるＰＤＣＣＨ割当から導出されうる。いくつかの実施形態の場合、ＰＨＩＣＨは、各コードワードのＢＳから送信されうる。
【００４３】
上述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、対応する任意の適切なミーンズ・プラス・ファンクション構成要素によって実行されうる。
【００４４】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００４５】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００４６】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００４７】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００４８】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理との一貫性を有する最も広い範囲に相当するとされている。
以下に、本願出願の当初の特許請求の範囲に記載された発明を付記する。
［Ｃ１］無線通信のための方法であって、
初期送信ランクにしたがって第１のコードワードと第２のコードワードとを送信することと、
前記第１のコードワードと前記第２のコードワードとのうち、再送信されるべき少なくとも１つのコードワードを示すダウンリンク送信を受信することと、ここで、前記ダウンリンク送信は、１または複数の物理ハイブリッド自動再送信要求インジケータ・チャネルを含む、
前記再送信されるべき少なくとも１つのコードワードとともに送信されるべき復調基準信号（ＤＭ−ＲＳ）を構築することと、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信することと、
を備える方法。
［Ｃ２］前記初期送信ランクと前記再送信ランクとは異なる、［Ｃ１］に記載の方法。
［Ｃ３］前記１または複数のＰＨＩＣＨのうちの少なくとも１つは、前記再送信されるべき少なくとも１つのコードワードを示す否定的アクノレッジメント（ＮＡＣＫ）を含む、［Ｃ１］に記載の方法。
［Ｃ４］前記構築することは、前記ＤＭ−ＲＳを、考慮される物理ダウンリンク制御チャネル（ＰＤＣＣＨ）許可における情報に少なくとも部分的に基づいて構築することを含む、［Ｃ３］に記載の方法。
［Ｃ５］前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、［Ｃ４］に記載の方法。
［Ｃ６］前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、［Ｃ４］に記載の方法。
［Ｃ７］前記ダウンリンク送信を受信することは、前記再送信されるべき少なくとも１つのコードワードを示す物理ダウンリンク制御チャネル（ＰＤＣＣＨ）許可を受信することを含む、［Ｃ１］に記載の方法。
［Ｃ８］前記構築することは、前記ＤＭ−ＲＳを、前記ＰＤＣＣＨ許可における情報に少なくとも部分的に基づいて構築することを含む、［Ｃ７］に記載の方法。
［Ｃ９］前記１または複数のＰＨＩＣＨのうちの少なくとも１つは、前記再送信されるべき少なくとも１つのコードワードのためのアクノレッジメント（ＡＣＫ）を示す、［Ｃ８］に記載の方法。
［Ｃ１０］前記ＰＤＣＣＨ許可における情報は、サイクリック・シフトおよび直交カバー・コードのうちの１つを含む、［Ｃ８］に記載の方法。
［Ｃ１１］前記構築することは、前記ＤＭ−ＲＳを、前記再送信ランクに関連付けられたルールにしたがって構築することを含む、［Ｃ８］に記載の方法。
［Ｃ１２］無線通信のための装置であって、
初期送信ランクにしたがって第１のコードワードと第２のコードワードとを送信する手段と、
前記第１のコードワードと前記第２のコードワードとのうち、再送信されるべき少なくとも１つのコードワードを示すダウンリンク送信を受信する手段と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築する手段と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信する手段と、
を備える装置。
［Ｃ１３］前記初期送信ランクと前記再送信ランクとは異なる、［Ｃ１２］に記載の装置。
［Ｃ１４］前記１または複数のＰＨＩＣＨのうちの少なくとも１つは、前記再送信されるべき少なくとも１つのコードワードを示す否定的アクノレッジメント（ＮＡＣＫ）を含む、［Ｃ１２］に記載の装置。
［Ｃ１５］前記構築する手段は、前記ＤＭ−ＲＳを、考慮される物理ダウンリンク制御チャネル（ＰＤＣＣＨ）許可における情報に少なくとも部分的に基づいて構築する手段を含む、［Ｃ１４］に記載の装置。
［Ｃ１６］前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、［Ｃ１５］に記載の装置。
［Ｃ１７］前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、［Ｃ１５］に記載の装置。
［Ｃ１８］前記ダウンリンク送信を受信する手段は、前記再送信されるべき少なくとも１つのコードワードを示す物理ダウンリンク制御チャネル（ＰＤＣＣＨ）許可を受信する手段を含む、［Ｃ１２］に記載の装置。
［Ｃ１９］前記構築する手段は、前記ＤＭ−ＲＳを、前記ＰＤＣＣＨ許可における情報に少なくとも部分的に基づいて構築する手段を含む、［Ｃ１８］に記載の装置。
［Ｃ２０］前記１または複数のＰＨＩＣＨのうちの少なくとも１つは、前記再送信されるべき少なくとも１つのコードワードのためのアクノレッジメント（ＡＣＫ）を示す、［Ｃ１９］に記載の装置。
［Ｃ２１］前記ＰＤＣＣＨ許可における情報は、サイクリック・シフトおよび直交カバー・コードのうちの１つを含む、［Ｃ１９］に記載の装置。
［Ｃ２２］前記構築する手段は、前記ＤＭ−ＲＳを、前記再送信ランクに関連付けられたルールにしたがって構築する手段を含む、［Ｃ１９］に記載の装置。
［Ｃ２３］無線通信のための装置であって、
初期送信ランクにしたがって第１のコードワードと第２のコードワードとを送信し、
前記第１のコードワードと前記第２のコードワードとのうち、再送信されるべき少なくとも１つのコードワードを示すダウンリンク送信を受信し、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築し、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信する
ように構成された少なくとも１つのプロセッサと、
前記少なくとも１つのプロセッサに接続されたメモリと、
を備える装置。
［Ｃ２４］前記初期送信ランクと前記再送信ランクとは異なる、［Ｃ２３］に記載の装置。
［Ｃ２５］前記１または複数のＰＨＩＣＨのうちの少なくとも１つは、前記再送信されるべき少なくとも１つのコードワードを示す否定的アクノレッジメント（ＮＡＣＫ）を含む、［Ｃ２３］に記載の装置。
［Ｃ２６］前記ＤＭ−ＲＳは、考慮される物理ダウンリンク制御チャネル（ＰＤＣＣＨ）許可における情報に少なくとも部分的に基づいて構築される、［Ｃ２５］に記載の装置。
［Ｃ２７］前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、［Ｃ２６］に記載の装置。
［Ｃ２８］前記ＤＭ−ＲＳは、前記考慮されるＰＤＣＣＨ許可における情報と、前記再送信ランクに関連付けられたルールとに少なくとも部分的に基づいて構築され、前記考慮されるＰＤＣＣＨ許可における情報は、サイクリック・シフトおよび直交カバー・コードのうちの１つを含む、［Ｃ２６］に記載の装置。
［Ｃ２９］コンピュータ・プログラム製品であって、
初期送信ランクにしたがって第１のコードワードと第２のコードワードとを送信するための命令群と、
前記第１のコードワードと前記第２のコードワードとのうち、再送信されるべき少なくとも１つのコードワードを示すダウンリンク送信を受信するための命令群と、ここで、前記ダウンリンク送信は、１または複数の物理ハイブリッド自動再送信要求インジケータ・チャネル（ＰＨＩＣＨ）を含む、
前記再送信されるべき少なくとも１つのコードワードとともに送信されるべき復調基準信号（ＤＭ−ＲＳ）を構築するための命令群と、ここで、前記ＤＭ−ＲＳは、前記ダウンリンク送信における情報に少なくとも部分的に基づいて構築される、
再送信ランクにしたがって、前記ＤＭ−ＲＳとともに、前記少なくとも１つのコードワードを再送信するための命令群と、
を備えるコンピュータ読取可能な媒体を備える、コンピュータ・プログラム製品。
［Ｃ３０］前記１または複数のＰＨＩＣＨのうちの少なくとも１つは、前記再送信されるべき少なくとも１つのコードワードを示す否定的アクノレッジメント（ＮＡＣＫ）を含み、前記ＤＭ−ＲＳは、考慮される物理ダウンリンク制御チャネル（ＰＤＣＣＨ）許可における情報に少なくとも部分的に基づいて構築される、［Ｃ２９］に記載のコンピュータ・プログラム製品。
［Ｃ３１］前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づいて構築され、
前記考慮されるＰＤＣＣＨ許可における情報は、サイクリック・シフトおよび直交カバー・コードのうちの１つを含む、
［Ｃ３０］に記載のコンピュータ・プログラム製品。
［Ｃ３２］前記ダウンリンク送信は、前記再送信されるべき少なくとも１つのコードワードを示す物理ダウンリンク制御チャネル（ＰＤＣＣＨ）許可を受信することを含み、
前記ＤＭ−ＲＳは、前記ＰＤＣＣＨ許可における情報に少なくとも部分的に基づいて構築され、
前記１または複数のＰＨＩＣＨのうちの少なくとも１つは、前記再送信されるべき少なくとも１つのコードワードのためのアクノレッジメント（ＡＣＫ）を示す、
［Ｃ２９］に記載のコンピュータ・プログラム製品。
［Ｃ３３］無線通信のための方法であって、
初期送信ランクにしたがって第１のコードワードと第２のコードワードとを受信することと、
前記第１のコードワードと前記第２のコードワードとのうち、再送信されるべき少なくとも１つのコードワードを示すダウンリンク送信を送信することと、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信することと、ここで、前記ＤＭ−ＲＳは、前記ダウンリンク送信における情報に少なくとも部分的に基づく、
を備える方法。
［Ｃ３４］前記初期送信ランクと前記再送信ランクとは異なる、［Ｃ３３］に記載の方法。
［Ｃ３５］前記１または複数のＰＨＩＣＨのうちの少なくとも１つは、前記再送信されるべき少なくとも１つのコードワードを示す否定的アクノレッジメント（ＮＡＣＫ）を含む、［Ｃ３３］に記載の方法。
［Ｃ３６］前記ＤＭ−ＲＳは、考慮される物理ダウンリンク制御チャネル（ＰＤＣＣＨ）許可における情報に少なくとも部分的に基づく、［Ｃ３５］に記載の方法。
［Ｃ３７］前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、［Ｃ３６］に記載の方法。
［Ｃ３８］前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
［Ｃ３６］に記載の方法。
［Ｃ３９］前記ダウンリンク送信を送信することは、前記再送信されるべき少なくとも１つのコードワードを示す物理ダウンリンク制御チャネル（ＰＤＣＣＨ）許可を送信することを含む、［Ｃ３３］に記載の方法。
［Ｃ４０］前記ＤＭ−ＲＳは、前記ＰＤＣＣＨ許可における情報に少なくとも部分的に基づく、［Ｃ３９］に記載の方法。
［Ｃ４１］前記１または複数のＰＨＩＣＨのうちの少なくとも１つは、前記ＵＥによって再送信されるべき少なくとも１つのコードワードのためのアクノレッジメント（ＡＣＫ）を示す、［Ｃ４０］に記載の方法。
［Ｃ４２］前記考慮されるＰＤＣＣＨ許可における情報は、前記ＤＭ−ＲＳのためのサイクリック・シフトと直交カバー・コードとのうちの１つを含む、［Ｃ４０］に記載の方法。
［Ｃ４３］前記ＤＭ−ＲＳは、前記再送信ランクに関連付けられたルールに少なくとも部分的に基づく、［Ｃ４０］に記載の方法。
［Ｃ４４］無線通信のための装置であって、
初期送信ランクにしたがって第１のコードワードと第２のコードワードとを受信する手段と、
前記第１のコードワードと前記第２のコードワードとのうち、再送信されるべき少なくとも１つのコードワードを示すダウンリンク送信を送信する手段と、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信する手段と、ここで、前記ＤＭ−ＲＳは、前記ダウンリンク送信における情報に少なくとも部分的に基づく、
を備える装置。
［Ｃ４５］前記初期送信ランクと前記再送信ランクとは異なる、［Ｃ４４］に記載の装置。
［Ｃ４６］前記１または複数のＰＨＩＣＨのうちの少なくとも１つは、前記再送信されるべき少なくとも１つのコードワードを示す否定的アクノレッジメント（ＮＡＣＫ）を含む、［Ｃ４４］に記載の装置。
［Ｃ４７］前記ＤＭ−ＲＳは、考慮される物理ダウンリンク制御チャネル（ＰＤＣＣＨ）許可における情報に少なくとも部分的に基づく、［Ｃ４６］に記載の装置。
［Ｃ４８］前記考慮されるＰＤＣＣＨ許可は、前記第１のコードワードおよび前記第２のコードワードの初期ＰＤＣＣＨ許可と、直近のＰＤＣＣＨ許可と、のうちの１つを含む、［Ｃ４７］に記載の装置。
［Ｃ４９］前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
［Ｃ４７］に記載の装置。
［Ｃ５０］前記ダウンリンク送信を送信する手段は、前記再送信されるべき少なくとも１つのコードワードを示す物理ダウンリンク制御チャネル（ＰＤＣＣＨ）許可を送信する手段を含む、［Ｃ４４］に記載の装置。
［Ｃ５１］前記ＤＭ−ＲＳは、前記ＰＤＣＣＨ許可における情報に少なくとも部分的に基づく、［Ｃ５０］に記載の装置。
［Ｃ５２］前記１または複数のＰＨＩＣＨのうちの少なくとも１つは、前記再送信されるべき少なくとも１つのコードワードのためのアクノレッジメント（ＡＣＫ）を示す、［Ｃ５１］に記載の装置。
［Ｃ５３］前記ＰＤＣＣＨ許可における情報は、サイクリック・シフトおよび直交カバー・コードのうちの１つを含む、［Ｃ５１］に記載の装置。
［Ｃ５４］前記ＤＭ−ＲＳは、前記再送信ランクに関連付けられたルールに少なくとも部分的に基づく、［Ｃ５１］に記載の装置。
［Ｃ５５］無線通信のための装置であって、
初期送信ランクにしたがって第１のコードワードと第２のコードワードとを受信し、
前記第１のコードワードと前記第２のコードワードとのうち、再送信されるべき少なくとも１つのコードワードを示すダウンリンク送信を送信し、ここで、前記ダウンリンク送信は、１または複数の物理ハイブリッド自動再送信要求インジケータ・チャネル（ＰＨＩＣＨ）を含む、
再送信ランクにしたがって、復調基準信号（ＤＭ−ＲＳ）とともに再送信された前記少なくとも１つのコードワードを受信し、ここで、前記ＤＭ−ＲＳは、前記ダウンリンク送信における情報に少なくとも部分的に基づく、
ように構成された少なくとも１つのプロセッサと、
前記少なくとも１つのプロセッサに接続されたメモリと、
を備える装置。
［Ｃ５６］前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、
［Ｃ５５］に記載の装置。
［Ｃ５７］前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトと直交カバー・コードとのうちの１つを含む、
［Ｃ５６］に記載の装置。
［Ｃ５８］前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、
［Ｃ５５］に記載の装置。
［Ｃ５９］コンピュータ・プログラム製品であって、
初期送信ランクにしたがって、少なくとも、第１のコードワードと第２のコードワードとを受信するための命令群と、
前記第１のコードワードと前記第２のコードワードとのうち、再送信されるべき少なくとも１つのコードワードを示すダウンリンク送信を送信するための命令群と、ここで、前記ダウンリンク送信は、１または複数の物理ハイブリッド自動再送信要求インジケータ・チャネル（ＰＨＩＣＨ）を備える、
再送信ランクにしたがって、復調基準信号（ＤＭ−ＲＳ）とともに再送信された前記少なくとも１つのコードワードを受信するための命令群と、ここで、前記ＤＭ−ＲＳは、前記ダウンリンク送信における情報に少なくとも部分的に基づく、
を備えるコンピュータ読取可能な媒体を備える、
コンピュータ・プログラム製品。
［Ｃ６０］前記１または複数のＰＨＩＣＨのうちの少なくとも１つは、前記再送信されるべき少なくとも１つのコードワードを示す否定的アクノレッジメント（ＮＡＣＫ）を含み、
前記ＤＭ−ＲＳは、考慮される物理ダウンリンク制御チャネル（ＰＤＣＣＨ）許可における情報に少なくとも部分的に基づく、
［Ｃ５９］に記載のコンピュータ・プログラム製品。
［Ｃ６１］前記考慮されるＰＤＣＣＨ許可は、前記第１のコードワードおよび前記第２のコードワードの初期ＰＤＣＣＨ許可と、直近のＰＤＣＣＨ許可と、のうちの１つを含み、
前記ＤＭ−ＲＳは、前記考慮されるＰＤＣＣＨ許可における情報と、前記再送信ランクに関連付けられたルールとに少なくとも部分的に基づき、
前記考慮されるＰＤＣＣＨ許可における情報は、前記ＤＭ−ＲＳのためのサイクリック・シフトおよび直交カバー・コードのうちの１つを含む、
［Ｃ６０］に記載のコンピュータ・プログラム製品。
［Ｃ６２］前記ダウンリンク送信は、前記再送信されるべき少なくとも１つのコードワードを示す物理ダウンリンク制御チャネル（ＰＤＣＣＨ）許可を含み、
前記ＤＭ−ＲＳは、前記ＰＤＣＣＨ許可における情報に少なくとも部分的に基づき、
前記１または複数のＰＨＩＣＨのうちの少なくとも１つは、前記再送信されるべき少なくとも１つのコードワードのためのアクノレッジメント（ＡＣＫ）を示す、
［Ｃ５９］に記載のコンピュータ・プログラム製品。
【図１】
0006026575.tif 000002
【図２】
0006026575.tif 000003
【図３】
0006026575.tif 000004
【図４】
0006026575.tif 000005
【図５】
0006026575.tif 000006
【図６】
0006026575.tif 000007
【図７】
0006026575.tif 000008
【図８Ａ】
0006026575.tif 000009
【図８Ｂ】
0006026575.tif 000010